(57)【要約】      （修正有）【課題】閉鎖位置における引戸パネルと壁面との段差を小さくすることが可能でありながらも、引戸パネルの下端側を安定的にガイドし、かつガイドする部材が障害になり難い引戸装置を提供する。【解決手段】引戸パネルを吊下支持し、直線部及び壁面に対して交差するように斜め戸厚方向にガイドする斜行部を有した上レールと、引戸パネルの戸尻側端部近傍に位置するように設けられ、引戸パネルの下端側をガイドする下端ガイド部材を備え、下端ガイド部材の先端部にアーム状保持部と、引戸パネルの被ガイド溝にガイド部を挿入させた直線ガイド位置においてアーム状保持部の基端側を保持する一方、被ガイド溝の戸尻側端部に位置されたガイド部が斜め戸厚方向に移動する引戸パネルに連動して移動するようにアーム状保持部の基端側をガイドする下レールを備え、被ガイド溝には、被ガイド溝の戸尻側端部にガイド部を接離自在に保持する保持部が設けられている。【選択図】図１
2020133355.tif 000002
【特許請求の範囲】
【請求項１】
引戸パネルの上端側の被ガイド部材を吊下支持し、かつ壁面と平行状にガイドする直線部及び出入口の部位において前記壁面に対して交差するように斜め戸厚方向にガイドする斜行部を有した上レールと、閉鎖位置の前記引戸パネルの戸尻側端部近傍に位置するように設けられ、該引戸パネルの下端側をガイドする下端ガイド部材と、を備えており、
前記下端ガイド部材は、前記引戸パネル側に向けて延びるように設けられ、先端部に前記引戸パネルの下端部の被ガイド溝に挿入されるガイド部を設けたアーム状保持部と、前記壁面と平行状に移動する前記引戸パネルの被ガイド溝に前記ガイド部を挿入させた直線ガイド位置において前記アーム状保持部の基端側を保持する一方、前記被ガイド溝の戸尻側端部に位置された前記ガイド部が前記斜め戸厚方向に移動する前記引戸パネルに連動して移動するように前記アーム状保持部の基端側をガイドする下レールと、を備え、前記被ガイド溝には、該被ガイド溝の戸尻側端部に位置された前記ガイド部を接離自在に保持する保持部が設けられていることを特徴とする引戸装置。
【請求項２】
請求項１において、
前記下端ガイド部材の下レールは、閉鎖位置の前記引戸パネルの戸尻側端部が近接される壁体の下端部に埋込状にかつ床上に位置するように配される構成とされていることを特徴とする引戸装置。
【請求項３】
請求項２において、
前記下端ガイド部材の下レールは、壁厚方向に沿う寸法が前記壁体の壁厚と同寸法とされたガイドユニット本体内に設けられていることを特徴とする引戸装置。
【請求項４】
請求項２または３において、
前記アーム状保持部の基端側には、床側の走行対象上を走行自在とされた転動体が設けられていることを特徴とする引戸装置。
【請求項５】
請求項１乃至４のいずれか１項において、
前記下レールには、前記アーム状保持部の基端側に設けられた被ガイド部を、前記直線ガイド位置と前記引戸パネルの閉鎖位置との間において、平面視して円弧状にガイドする湾曲ガイド部が設けられていることを特徴とする引戸装置。
【請求項６】
請求項５において、
前記被ガイド部には、上下方向に沿う軸回りに回転自在とされた被ガイドローラーが設けられており、
前記下レールには、前記被ガイドローラーを溝幅方向両側から挟むように、かつ該被ガイドローラーを前記湾曲ガイド部に沿ってガイドするガイド側壁部が設けられていることを特徴とする引戸装置。
【発明の詳細な説明】
【技術分野】
【０００１】
本発明は、出入口を開閉する引戸パネルを備えた引戸装置に関する。
【背景技術】
【０００２】
従来より、壁面に対してアウトセット状に配されて開閉自在とされる引戸パネルを備えた引戸装置や戸袋納めとされる引戸パネルを備えた引戸装置が知られている。このような引戸装置では、閉鎖位置において引戸パネルと壁面との間に戸厚や戸袋を区画する一方の戸袋壁の壁厚に応じた段差が形成され、該段差が目立ち易くなる傾向があった。
例えば、下記特許文献１には、引戸の上部に間隔を空けて設けられたローラユニットを案内する二本の案内レールに直線レールと斜め方向に伸びる引込みレールとを設け、閉じた状態の引戸の表面と壁面とをフラットにできる引戸具が開示されている。また、この引戸具は、引戸の下部の端部にブラケットを介して取り付けられ底面に略Ｌ字形の案内溝を有する案内体の案内溝に挿入される第一のピン体と、引戸の底面に形成された幅方向に細長く伸びる引戸溝に挿入される第二のピン体と、を備えた構成とされている。
また、下記特許文献２には、閉成時には二枚の引き戸の表面が面一となり、開成時には開成された引き戸が他方の引き戸の前面へ重複するように開成されるように吊り下げられた引き戸の下部の前後への振れを防止する振れ止め装置が開示されている。この振れ止め装置は、引き戸の下方において、上レールの傾斜部と平行に摺動するスライダーの先端部に、引き戸下面のガイド溝内にスライド自在に係合するガイドピンを設けた構成とされている。
【先行技術文献】
【特許文献】
【０００３】
【特許文献１】特許第４８１８３６２号公報
【特許文献２】実開昭６１−１７７１７９号公報
【発明の概要】
【発明が解決しようとする課題】
【０００４】
しかしながら、上記特許文献１に記載された引戸具では、案内体の案内溝及び引戸溝に挿入されていない状態のピン体が床部から突出し、また、引戸の下部の端部から案内体が突出する構成となるため、更なる改善が望まれる。
また、上記特許文献２に記載された振れ止め装置では、引き戸が閉成位置から開成側に移動する際に、ガイド溝内をスライド自在とされたガイドピンがガイド溝の端部から戸幅方向に相対的に移動し易くなる懸念がある。
【０００５】
本発明は、上記実情に鑑みてなされたものであり、閉鎖位置における引戸パネルと壁面との段差を小さくすることが可能でありながらも、引戸パネルの下端側を安定的にガイドし得、かつガイドする部材が障害になり難い引戸装置を提供することを目的としている。
【課題を解決するための手段】
【０００６】
前記目的を達成するために、本発明に係る引戸装置は、引戸パネルの上端側の被ガイド部材を吊下支持し、かつ壁面と平行状にガイドする直線部及び出入口の部位において前記壁面に対して交差するように斜め戸厚方向にガイドする斜行部を有した上レールと、閉鎖位置の前記引戸パネルの戸尻側端部近傍に位置するように設けられ、該引戸パネルの下端側をガイドする下端ガイド部材と、を備えており、前記下端ガイド部材は、前記引戸パネル側に向けて延びるように設けられ、先端部に前記引戸パネルの下端部の被ガイド溝に挿入されるガイド部を設けたアーム状保持部と、前記壁面と平行状に移動する前記引戸パネルの被ガイド溝に前記ガイド部を挿入させた直線ガイド位置において前記アーム状保持部の基端側を保持する一方、前記被ガイド溝の戸尻側端部に位置された前記ガイド部が前記斜め戸厚方向に移動する前記引戸パネルに連動して移動するように前記アーム状保持部の基端側をガイドする下レールと、を備え、前記被ガイド溝には、該被ガイド溝の戸尻側端部に位置された前記ガイド部を接離自在に保持する保持部が設けられていることを特徴とする。
【発明の効果】
【０００７】
本発明に係る引戸装置は、上述のような構成としたことで、閉鎖位置における引戸パネルと壁面との段差を小さくすることが可能でありながらも、引戸パネルの下端側を安定的にガイドすることができ、また、ガイドする部材を障害になり難くすることができる。
【図面の簡単な説明】
【０００８】
【図１】（ａ）〜（ｃ）は、本発明の一実施形態に係る引戸装置の一例を模式的に示す一部破断概略横断面図である。
【図２】同引戸装置の一部破断概略分解斜視図である。
【図３】（ａ）は、同引戸装置が備える引戸パネルの上端側の被ガイド部材を構成する戸先側被ガイド部材の一例を模式的に示す一部省略概略斜視図、（ｂ）は、同被ガイド部材を構成する戸尻側被ガイド部材の一例を模式的に示す一部省略概略斜視図である。
【図４】（ａ）は、図１（ａ）におけるＸ１−Ｘ１線矢視に対応させた一部破断概略縦断面図、（ｂ）は、図１（ａ）におけるＸ２−Ｘ２線矢視に対応させた一部破断概略縦断面図である。
【図５】（ａ）は、図４（ａ）におけるＹ１−Ｙ１線矢視に対応させた一部破断概略横断面図、（ｂ）、（ｃ）は、図４（ａ）におけるＹ２−Ｙ２線矢視に対応させた一部破断概略横断面図である。
【図６】（ａ）は、同引戸装置が備える下端ガイド部材の一例を模式的に示す概略分解斜視図、（ｂ）は、図７（ａ）におけるＸ３−Ｘ３線矢視に対応させた一部破断概略縦断面図である。
【図７】（ａ）、（ｂ）は、一部破断概略底面図である。
【図８】（ａ）、（ｂ）は、一部破断概略底面図である。
【発明を実施するための形態】
【０００９】
以下に本発明の実施の形態について、図面に基づいて説明する。
なお、一部の図では、他図に付している詳細な符号の一部を省略している。
また、以下の実施形態では、本実施形態に係る引戸装置を施工した状態を基準として上下方向等の方向を説明する。
【００１０】
図１〜図８は、本実施形態に係る引戸装置の一例を模式的に示す図である。
本実施形態に係る引戸装置１は、図１（ａ）〜（ｃ）及び図２に示すように、壁体３に設けられた出入口６を開閉する引戸パネル１０と、壁体３の壁面３ａに沿うように配され、引戸パネル１０の上端側をガイドする上レール３０と、を備えている。また、引戸装置１は、図６に示すように、閉鎖位置の引戸パネル１０の戸尻側端部近傍に位置するように設けられ、引戸パネル１０の下端側をガイドする下端ガイド部材２０を備えている。なお、図１及び図５では、下端ガイド部材２０の図示を省略している。また、下端ガイド部材２０の具体的構成については後述する。
壁体３は、住居等の建物内を区画する間仕切壁であってもよく、どのような壁でもよい。図１（ａ）に示すように、この壁体３の壁厚方向一方側の壁面３ａに沿うように全開位置の引戸パネル１０が配される。なお、この壁体３の全開位置の引戸パネル１０が沿わせられる壁面３ａに対面した状態を基準として手前側を前方として前後方向を説明する場合がある。また、引戸装置１は、この壁体３の手前側空間が廊下等の比較的に小さい空間に配設されるものでもよく、種々の箇所に設置されるものでもよい。
【００１１】
出入口６は、壁体３を貫通するように設けられている。この出入口６は、床２（図６（ｂ）参照）から図示省略の略天井に至るまでの開口高とされたものでもよく、上側が垂れ壁によって区画されたものでもよい。また、図例では、出入口６の開口幅方向両側を、開口枠を構成する縦枠４，５によって区画した例を示している。図１（ｃ）に示すように、閉鎖位置の引戸パネル１０の戸先側端部が近接される戸先側縦枠４の見込方向一方側（前方側）端部に、引戸パネル１０の戸先側端部を受け入れる切欠状の凹所を設けた例を示している。また、閉鎖位置の引戸パネル１０の戸尻側端部が近接される戸尻側縦枠５の見込方向一方側（前方側）端部に、斜め前方側に向く傾斜面を設けた例を示している。なお、出入口６及びこれを区画する開口枠を構成する縦枠４，５としては、上記のような態様に限られず、その他、種々の態様とされたものでもよい。また、図例では、片引き状に配される一枚の引戸パネル１０によって出入口６を開閉する態様とした例を示しているが、引き分け状に配される二枚の引戸パネル１０によって出入口６を開閉する態様等としてもよい。この場合は、二枚の引戸パネル１０のそれぞれをガイドする後記する上レール３０を設けた構成等としてもよい。
【００１２】
引戸パネル１０は、上下方向に長尺な略矩形平板状とされている。この引戸パネル１０の戸高寸法及び戸幅寸法は、出入口６の閉鎖が可能なように適宜の寸法とされている。また、この引戸パネル１０の戸先側端部の戸厚方向両側には、適宜の手掛部が設けられている。また、この引戸パネル１０の戸尻側端面は、閉鎖位置において戸尻側縦枠５の傾斜面に近接対面するように、斜め後方側に向く傾斜面とされている（図５（ｃ）も参照）。この引戸パネル１０は、上端側の被ガイド部材１１，１５が上レール３０に吊下支持される構成とされている。本実施形態では、被ガイド部材１１，１５として、引戸パネル１０の戸先側端部の上端側に設けられた戸先側被ガイド部材１１と、引戸パネル１０の戸尻側端部の上端側に設けられた戸尻側被ガイド部材１５と、を備えた構成としている。
上レール３０は、引戸パネル１０の上端側の被ガイド部材１１，１５を、壁面３ａと平行状にガイドする直線部３６ａ，４０ａ及び出入口６の部位において壁面３ａに対して交差するように斜め戸厚方向にガイドする斜行部３６ｂ，４０ｂを有している。
【００１３】
上記のような構成とすれば、上レール３０の直線部３６ａ，４０ａによって引戸パネル１０を壁面３ａに沿わせて平行状にガイドすることができる。また、出入口６を閉鎖する閉鎖位置では、図１（ｃ）及び図５（ｃ）に示すように、上レール３０の斜行部３６ｂ，４０ｂによって引戸パネル１０の戸厚方向の少なくとも一部を戸厚方向で壁面３ａよりも出入口６内に配置することができる。これにより、引戸パネル１０をアウトセット状に設けたものや戸袋納めとしたものと比べて、閉鎖位置において形成される引戸パネル１０の戸厚方向一方側面（前面）と壁面３ａとの段差を小さくすることができる。この結果、引戸パネル１０を閉鎖位置とすれば、開放位置で引戸パネル１０が沿わせられる壁面３ａによって区画される廊下等の空間が引戸パネル１０によって狭められるようなことを抑制することができる。
【００１４】
また、上レール３０には、図４及び図５に示すように、下方側に向けて開口するガイド溝３１の溝底側を区画する底壁部３２及び溝長手方向で少なくとも一部が溝幅方向に見て互いに重なり合う構成とされ溝幅方向両側を区画する両側の側壁部３７，４１が設けられている。また、この上レール３０の壁面３ａ側の側壁部としての壁側側壁部４１には、引戸パネル１０の戸尻側被ガイド部材１５の被ガイド部を構成するランナー本体１６をガイドする戸尻側ガイド部４０が設けられている。また、上レール３０の反壁面側の側壁部としての前側側壁部３７には、引戸パネル１０の戸先側被ガイド部材１１の被ガイド部を構成するランナー本体１２をガイドする戸先側ガイド部３６が設けられている。戸尻側ガイド部４０には、戸尻側被ガイド部材１５のランナー本体１６を壁面３ａと平行状にガイドする直線部４０ａ及び出入口６の戸尻側部位において壁面３ａに対して交差するように斜め戸厚方向にガイドする斜行部４０ｂが設けられている。戸先側ガイド部３６には、戸先側被ガイド部材１１のランナー本体１２を壁面３ａと平行状にガイドする直線部３６ａ及び出入口６の戸先側部位において壁面３ａに対して交差するように斜め戸厚方向にガイドする斜行部３６ｂが設けられている。
【００１５】
つまり、上レール３０の壁側側壁部４１に戸尻側ガイド部４０を設け、上レール３０の前側側壁部３７に戸先側ガイド部３６を設け、これら壁側側壁部４１及び前側側壁部３７を溝長手方向で少なくとも一部が溝幅方向に見て互いに重なり合う構成としている。このような構成とすれば、二本の案内レールを戸厚方向に並列状に設けたようなものと比べて、上レール３０の戸厚方向に沿う寸法のコンパクト化を図ることができる。また、引戸パネルの戸先側のブラケットを戸尻側よりも大きく突出させる必要があるようなものと比べて、引戸パネル１０の上端部の戸先側被ガイド部材１１及び戸尻側被ガイド部材１５の戸厚方向に沿う寸法のコンパクト化を図ることができる。また、例えば、二本の案内レールを上下方向に積み重ねるように設けたようなものと比べて、上レール３０の上下方向に沿う寸法のコンパクト化を図ることもできる。また、例えば、戸先側被ガイド部材をガイドするレールと戸尻側被ガイド部材をガイドするレールとを戸幅方向に直列状にかつ別体的に設けたものと比べて、引戸パネル１０の戸幅方向への可動範囲及び出入口６の有効開口幅を効果的に大きくすることができる。なお、上レール３０の具体的構成については後述する。
【００１６】
戸先側被ガイド部材１１及び戸尻側被ガイド部材１５は、図２及び図４に示すように、本実施形態では、引戸パネル１０の上端面から上方側に向けて突出するように設けられている。このような構成とすれば、戸先側被ガイド部材１１及び戸尻側被ガイド部材１５を、引戸パネル１０の戸厚方向一方側（前方側）や他方側（後方側）に付設状に設けたものと比べて、引戸パネル１０の戸厚方向両側面をすっきりとした外観にすることができ、見栄えを向上させることができる。また、これら戸先側被ガイド部材１１及び戸尻側被ガイド部材１５を、戸厚方向で概ね引戸パネル１０の戸厚内に納まるように設けた構成としている。図例では、戸先側被ガイド部材１１及び戸尻側被ガイド部材１５のランナー本体１２，１６の戸厚方向一方側の一部が引戸パネル１０の戸厚方向一方側面よりも僅かに突出する構成とした例を示しているが、このような態様に限られない。
【００１７】
また、戸先側被ガイド部材１１及び戸尻側被ガイド部材１５には、図２に示すように、引戸パネル１０の上端部の戸幅方向両側に設けられた取付凹所に取り付けられる取付部が設けられている。戸先側被ガイド部材１１及び戸尻側被ガイド部材１５のランナー本体１２，１６は、図４に示すように、各取付部から上方側に向けて突出するように設けられた支持部１１ａ，１５ａに支持されている。各ランナー本体１２，１６は、引戸パネル１０に対して上下方向に沿う軸回りに回転自在に保持されている。これらランナー本体１２，１６は、軸状とされた支持部１１ａ，１５ａに対して回転自在に保持されたものでもよく、または、取付部に対して回転自在とされた支持部１１ａ，１５ａに対して固定的に設けられたものでもよい。これら支持部１１ａ，１５ａは、引戸パネル１０の戸厚方向略中心部に位置するように設けられている。また、これら支持部１１ａ，１５ａは、引戸パネル１０の上端面からの突出寸法が互いに同寸法とされている。
【００１８】
これら戸先側被ガイド部材１１及び戸尻側被ガイド部材１５の各ランナー本体１２，１６は、互いに同高さに配される構成とされている。
戸先側被ガイド部材１１のランナー本体１２には、後記する戸先側ガイド部３６の案内片部３８上を走行するように上レール３０の溝幅方向に沿う軸回りに回転自在とされた片輪状の転動体１３が設けられている。この転動体１３は、ランナー本体１２の反壁面側（前方側）の側面に付設状に設けられている。また、このランナー本体１２の壁面３ａ側の側面は、平坦面状とされている。
また、図３（ａ）に示すように、戸先側被ガイド部材１１のランナー本体１２の下面側に、上下方向に沿う軸回りに回転自在とされた被ガイドローラー１４を設けた構成としている。この被ガイドローラー１４は、図４（ａ）に示すように、戸厚方向で戸厚方向略中心部に位置するように設けられている。また、本実施形態では、ランナー本体１２の下面側に、支持部１１ａから溝長手方向に等間隔を空けて一対の被ガイドローラー１４，１４を設けた構成としている（図３（ａ）参照）。
【００１９】
戸尻側被ガイド部材１５のランナー本体１６には、後記する戸尻側ガイド部４０の案内片部４２上を走行するように上レール３０の溝幅方向に沿う軸回りに回転自在とされた片輪状の転動体１７が設けられている。この転動体１７は、戸先側被ガイド部材１１の転動体１３と同寸同形状とされ、ランナー本体１６の壁面３ａ側の側面に付設状に設けられている。また、このランナー本体１６の反壁面側（前方側）の側面は、平坦面状とされている。
また、図２及び図５（ａ）に示すように、戸尻側被ガイド部材１５のランナー本体１６の上面側に、上下方向に沿う軸回りに回転自在とされた被ガイドローラー１８を設けた構成としている。この被ガイドローラー１８は、図４（ｂ）に示すように、戸厚方向で戸厚方向略中心部に位置するように設けられている。また、本実施形態では、ランナー本体１６の上面側に、支持部１５ａから溝長手方向に等間隔を空けて一対の被ガイドローラー１８，１８を設けた構成としている。
【００２０】
また、図３（ｂ）に示すように、このランナー本体１６の下面側に、上下方向に沿う軸回りに回転自在とされた被ガイドローラー１９を設けた構成としている。この被ガイドローラー１９は、図４（ｂ）に示すように、戸厚方向で戸厚方向略中心部に位置するように設けられている。また、図例では、ランナー本体１６の下面側における支持部１５ａの溝長手方向一方側に位置するように、一つの被ガイドローラー１９を設けた例を示しているが、上記同様、支持部１５ａから溝長手方向に等間隔を空けて一対の被ガイドローラー１９を設けてもよい。上記した戸先側被ガイド部材１１の被ガイドローラー１４，１４及び戸尻側被ガイド部材１５の被ガイドローラー１８，１８，１９は、互いに同寸同形状とされている。
【００２１】
上レール３０は、概ね戸幅方向に沿うように長尺状とされている。本実施形態では、図５（ｂ）に示すように、上レール３０の前側側壁部３７を、壁側側壁部４１の直線部の全長に亘って反壁面側に位置するように設けた構成としている。例えば、前側側壁部３７の直線部の戸尻側部位と壁側側壁部４１の直線部の戸先側部位とのみを溝幅方向に見て互いに重なり合うように設けた構成とすれば、上レール３０の直線部の反壁面側（前方側）において段差が目立ち易くなる。本実施形態によれば、このような段差が上レール３０の反壁面側に形成されることがなく見栄えを向上させることができる。
この上レール３０の戸先側ガイド部３６には、前側側壁部３７の下端部から壁面３ａ側に向けて突出し、戸先側被ガイド部材１１の転動体１３が走行する案内片部３８が設けられている。また、上レール３０の戸尻側ガイド部４０には、壁側側壁部４１の下端部から反壁面側に向けて突出し、戸尻側被ガイド部材１５の転動体１７が走行する案内片部４２が設けられている。
【００２２】
上記のような構成とすれば、引戸パネル１０を戸先側ガイド部３６及び戸尻側ガイド部４０に対して吊下支持させて上吊型でスライドさせることができる。これにより、本実施形態のように出入口６や壁体３の手前側の床２側に、戸幅方向に長尺な床レール等を設けない構成とできる。また、これら転動体１３，１７が設けられたランナー本体１２，１６を引戸パネル１０に対して上下方向に沿う軸回りに回転自在に保持させているので、上レール３０の直線部３６ａ，４０ａと斜行部３６ｂ，４０ｂとを円滑に方向転換しながら走行させることができる。また、例えば、戸先側ガイド部及び戸尻側ガイド部のそれぞれの溝幅方向両側に案内片部を設け、戸先側被ガイド部材及び戸尻側被ガイド部材の被ガイド部の溝幅方向両側に一対の転動体を設けた構成とすることも考えられる。この場合には、戸尻側ガイド部の斜行部と戸先側ガイド部の直線部との交差部において戸尻側被ガイド部材のランナー本体を支持する支持部を通過させる開口を戸先側ガイド部の直線部の壁面側の案内片部に設けることが望ましい。このような場合には、戸先側被ガイド部材の壁面側の転動体が開口を通過する際にがたつき、また、直線部と斜行部とを移動する戸尻側被ガイド部材の反壁面側の転動体が案内片部間の開口を通過する際にがたつくことが考えられる。本実施形態によれば、戸先側及び戸尻側それぞれの片輪状の転動体１３，１７が一連状に設けられた案内片部３８，４２上をそれぞれに走行することとなるので、上記のようながたつきの発生を抑制することができる。
【００２３】
これら案内片部３８，４２は、図４に示すように、互いに同高さとなるように設けられている。また、図５（ｂ）に示すように、戸先側ガイド部３６を構成する反壁面側の案内片部３８は、本実施形態では、前側側壁部３７の溝長手方向の全長に亘って設けられている。つまり、上レール３０の戸尻側端部から溝幅方向両側の案内片部３８，４２が設けられている。
戸先側ガイド部３６の直線部３６ａと戸尻側ガイド部４０の直線部４０ａとは、壁厚方向で壁体３の一方側（手前側）の壁面３ａに沿うように、かつ平行状に配される構成とされている。戸先側ガイド部３６の直線部３６ａの戸先側端部には、斜行部３６ｂが連なるように設けられている。戸尻側ガイド部４０の直線部４０ａの戸先側端部には、斜行部４０ｂが連なるように設けられている。戸先側ガイド部３６の斜行部３６ｂと戸尻側ガイド部４０の斜行部４０ｂとは、図５（ｂ）に示すように、互いに平行状に設けられている。これらの斜行部３６ｂ，４０ｂの先端部に各ランナー本体１２，１６が位置した状態が引戸パネル１０の閉鎖位置とされる（図１（ｃ）及び図５（ｃ）参照）。
【００２４】
戸先側ガイド部３６の案内片部３８は、直線部３６ａ及び斜行部３６ｂの全長に亘って一連状に設けられている。この案内片部３８は、直線部３６ａと斜行部３６ｂとの境界部（コーナー部）において平面視して円弧状となるように形成されている。また、図例では、この案内片部３８の突出方向先端部に、上方側に向けて突出する突片部を設けた例を示している。つまり、この突片部と案内片部３８と前側側壁部３７とによって上方側に向けて開口し、転動体１３を受け入れる受入溝を区画した構成としている。
【００２５】
また、本実施形態では、戸先側ガイド部３６における戸尻側ガイド部４０の斜行部４０ｂとの分岐部の戸先側に、前側側壁部３７に平行状にかつ対向するように配された戸先側対向壁部４７を設けた構成としている。この戸先側対向壁部４７は、底壁部３２，３４の壁面３側の端部から垂れ下がるように設けられている。また、この戸先側対向壁部４７の下端部には、案内片部３８に向けて突出するように突片部４８が設けられている。これら戸先側対向壁部４７及び突片部４８には、戸先側ガイド部３６の直線部３６ａ及び斜行部３６ｂの前側側壁部３７及び案内片部３８とそれぞれ略平行状となるように、直線部及び斜行部が設けられている。
また、これら戸先側対向壁部４７及び突片部４８の直線部は、溝長手方向に見て、戸尻側ガイド部４０の直線部４０ａの壁側側壁部４１及び案内片部４２と略一致するように設けられている。また、本実施形態では、図２に示すように、戸先側ガイド部３６の斜行部３６ｂの底壁部３４を含む部位を、他の部位とは別体とされた部材を接合した構成としている。
【００２６】
この戸先側ガイド部３６の案内片部３８の突出方向先端面と、これに対向する戸尻側ガイド部４０の直線部４０ａの案内片部４２及び突片部４８の突出方向先端面と、は、被ガイドローラー１４をガイドする開口側ガイド側壁部３９，４３，４９を構成する。これら開口側ガイド側壁部３９，４３，４９は、被ガイドローラー１４を溝幅方向両側から挟むようにガイド溝３１の開口側に設けられ、被ガイドローラー１４を戸先側ガイド部３６の直線部３６ａ及び斜行部３６ｂに沿ってガイドする構成とされている。このような構成とすれば、戸先側ガイド部３６の案内片部３８上を走行する片輪状の転動体１３が傾くようなことを抑制することができ、この転動体１３を直線部３６ａ及び斜行部３６ｂに沿って円滑にガイドすることができる。また、本実施形態では、戸先側被ガイド部材１１のランナー本体１２に、支持部１１ａから溝長手方向に等間隔を空けて一対の被ガイドローラー１４，１４を設けた構成としている。従って、直線部３６ａにおける直進性を向上させることができ、また、コーナー部において円滑に方向転換させることができる。互いに対向する開口側ガイド側壁部３９と開口側ガイド側壁部４３，４９との間の溝幅方向に沿う寸法は、被ガイドローラー１４，１４の外径に応じた寸法とされている。
【００２７】
戸尻側ガイド部４０の案内片部４２は、上記同様、直線部４０ａ及び斜行部４０ｂの全長に亘って一連状に設けられている。この案内片部４２は、直線部４０ａと斜行部４０ｂとの境界部（コーナー部）において平面視して円弧状となるように形成されている。また、図例では、上記同様、この案内片部４２の突出方向先端部に、上方側に向けて突出する突片部を設けた例を示している。つまり、この突片部と案内片部４２と壁側側壁部４１とによって上方側に向けて開口し、転動体１７を受け入れる受入溝を区画した構成としている。
また、本実施形態では、戸尻側ガイド部４０の斜行部４０ｂの壁側側壁部４１に平行状にかつ対向するように配された戸尻側対向壁部４４を設けた構成としている。この戸尻側対向壁部４４は、直線状の底壁部３２から斜め戸厚方向に分岐するように設けられた戸尻側の斜行部の底壁部３３の反壁面側の端部から垂れ下がるように設けられている。また、この戸尻側対向壁部４４の下端部には、案内片部４２に向けて突出するように突片部４５が設けられている。
これら戸尻側対向壁部４４及び突片部４５は、戸尻側ガイド部４０の斜行部４０ｂの壁側側壁部４１及び案内片部４２とそれぞれ略平行状となるように設けられている。
【００２８】
この戸尻側ガイド部４０の案内片部４２の突出方向先端面と、これに対向する戸先側ガイド部３６の直線部３６ａの案内片部３８及び突片部４５の突出方向先端面と、は、被ガイドローラー１９をガイドする開口側ガイド側壁部４３，３９，４６を構成する。これら開口側ガイド側壁部４３，３９，４６は、上記と概ね同様、被ガイドローラー１９を溝幅方向両側から挟むようにガイド溝３１の開口側に設けられ、被ガイドローラー１９を戸尻側ガイド部４０の直線部４０ａ及び斜行部４０ｂに沿ってガイドする構成とされている。互いに対向する開口側ガイド側壁部４３と開口側ガイド側壁部３９，４６との間の溝幅方向に沿う寸法は、被ガイドローラー１９の外径に応じた寸法とされている。
【００２９】
また、本実施形態では、上レール３０の底壁部３２，３３に、戸尻側被ガイド部材１５のランナー本体１６の上面側の被ガイドローラー１８を戸尻側ガイド部４０の直線部４０ａ及び斜行部４０ｂに沿ってガイドする底側ガイド溝３５を設けた構成としている。このような構成とすれば、戸尻側ガイド部４０の案内片部４２上を走行する片輪状の転動体１７が傾くようなことを抑制することができ、この転動体１７を直線部４０ａ及び斜行部４０ｂに沿って円滑にガイドすることができる。
また、本実施形態では、戸尻側被ガイド部材１５のランナー本体１６に、支持部１５ａから溝長手方向に等間隔を空けて一対の被ガイドローラー１８，１８を設けた構成としている。従って、直線部４０ａにおける直進性を向上させることができ、また、コーナー部において円滑に方向転換させることができる。
【００３０】
底側ガイド溝３５は、図４及び図５（ａ）に示すように、戸尻側ガイド部４０の直線部４０ａ及び斜行部４０ｂの底壁部３２，３３に一連状に、かつ下方側に向けて開口するように設けられている。この底側ガイド溝３５は、戸尻側ガイド部４０の直線部４０ａ及び斜行部４０ｂに沿うように設けられている。また、この底側ガイド溝３５の溝幅寸法は、被ガイドローラー１８，１８の外径に応じた寸法とされている。
なお、図例では、上レール３０の戸尻側端部及び戸尻側の斜行部４０ｂの先端部を溝長手方向に沿って開口させた例を示しているが、適宜の封止部材を設けるようにしてもよい。
また、上記のような構成とされた上レール３０は、天井側の適宜の固定対象にねじ等の固着具や適宜の固定具を介して固定されるものでもよい。また、上レール３０の固定対象としては、開口枠を構成する上枠でもよく、天井パネルや天井下地でもよい。
また、上レール３０の適所に、引戸パネル１０を全開位置及び閉鎖位置に規制する適宜のキャッチ機構や、引戸パネル１０を閉鎖側に助勢する助勢機構、全開側や閉鎖側に移動する引戸パネル１０を減速させる緩衝機構等を設けた構成としてもよい。
【００３１】
上記のような構成とされた引戸装置１においては、図１（ａ）及び図５（ａ）、（ｂ）に示すように、引戸パネル１０は、出入口６を開放させた全開位置では、壁体３の壁面３ａの手前側に位置するように配される。図例では、引戸パネル１０の戸先側端面が戸幅方向で出入口６内に位置しないように配される構成とした例を示している。つまり、全開位置においていわゆる引き残しが形成されない構成とした例を示しているが、引き残しが形成される構成としてもよい。
全開位置とされた引戸パネル１０を閉鎖側に移動させれば、図１（ｂ）及び図５（ａ）、（ｂ）に示すように、戸先側被ガイド部材１１の転動体１３が戸先側ガイド部３６の直線部３６ａの案内片部３８上を走行する。また、戸尻側被ガイド部材１５の転動体１７が戸尻側ガイド部４０の直線部４０ａの案内片部４２上を走行する。
そして、更に引戸パネル１０を閉鎖側に移動させ、各ランナー本体１２，１６が直線部３６ａ，４０ａと斜行部３６ｂ，４０ｂとのコーナー部を介して斜行部３６ｂ，４０ｂに至れば、引戸パネル１０が戸厚方向斜め後方側となる出入口６側に向けて移動する。
【００３２】
この際、戸先側被ガイド部材１１のランナー本体１２は、コーナー部の開口側ガイド側壁部３９，４９間を移動する下面側の被ガイドローラー１４，１４によって方向転換が円滑になされる。また、戸尻側被ガイド部材１５のランナー本体１６は、底側ガイド溝３５のコーナー部を移動する上面側の被ガイドローラー１８，１８によって方向転換が円滑になされる。なお、このような被ガイドローラー１４，１４，１８，１８を設けずに、上記した受入溝による規制によって各ランナー本体１２，１６の方向転換がなされる構成としてもよい。
そして、各ランナー本体１２，１６が斜行部３６ｂ，４０ｂの先端部に至れば、図１（ｃ）及び図５（ｃ）に示すように、引戸パネル１０が閉鎖位置となる。本実施形態では、閉鎖位置において引戸パネル１０の手前側に向く面と壁面３ａとが概ね同一平面状となる構成としている。図例では、閉鎖位置の引戸パネル１０の手前側に向く面が壁面３ａよりも僅かに手前側に位置する構成とした例を示しているが、このような態様に限られない。
また、閉鎖位置とされた引戸パネル１０を開放側に移動させれば、上記とは概ね逆、つまり、各ランナー本体１２，１６が斜行部３６ｂ，４０ｂ及びコーナー部を経て直線部３６ａ，４０ａに至り、全開位置となる。
【００３３】
下端ガイド部材２０は、図６（ｂ）に示すように、引戸パネル１０側に向けて延びるように設けられ、先端部に引戸パネル１０の下端部の被ガイド溝７に挿入されるガイド部２９を設けたアーム状保持部２８を備えている。また、下端ガイド部材２０は、このアーム状保持部２８の基端側に設けられた被ガイド部２５をガイドする下レール２２を備えている。また、下レール２２は、壁面３ａと平行状に移動する引戸パネル１０の被ガイド溝７にガイド部２９を挿入させた直線ガイド位置において被ガイド部２５を保持する。また、下レール２２は、被ガイド溝７の戸尻側端部に位置されたガイド部２９が斜め戸厚方向に移動する引戸パネル１０に連動して移動するように被ガイド部２５をガイドする。また、被ガイド溝７に、被ガイド溝７の戸尻側端部に位置されたガイド部２９を接離自在に保持する保持部８を設けた構成としている。
【００３４】
上記のような構成とすれば、被ガイド溝７に挿入されたガイド部２９によって引戸パネル１０の下端側を壁面３ａと平行状にガイドすることができ、また、斜め戸厚方向にガイドすることができる。また、閉鎖位置から開放側に向けて引戸パネル１０が斜め戸厚方向に移動する際に、下端ガイド部材２０のガイド部２９を引戸パネル１０の被ガイド溝７の戸尻側端部において保持することができる。これにより、下レール２２に基端側がガイドされるアーム状保持部２８とともに移動するガイド部２９によって引戸パネル１０の下端側を斜め戸厚方向に安定的にガイドすることができる。
また、下端ガイド部材２０は、閉鎖位置の引戸パネル１０の戸尻側端部近傍に位置するように設けられ、閉鎖位置と全開位置との間を移動する引戸パネル１０の被ガイド溝７にガイド部２９が挿入された状態とされる。従って、案内体の案内溝及び引戸溝に挿入されていない状態のピン体が床部から突出し、引戸の下部の端部から案内体が突出する構成とされたようなものと比べて、下端ガイド部材２０が障害になるようなことを抑制することができ、また、見栄えを向上させることができる。
【００３５】
引戸パネル１０の被ガイド溝７は、図６（ｂ）及び図７に示すように、引戸パネル１０の下端面において下方側に向けて開口するように設けられている。この被ガイド溝７は、引戸パネル１０の下端部に直接的に設けられたものでもよいが、図例では、引戸パネル１０の下端部に設けられた取付凹所に取り付けられた溝部材に設けられたものとしている。
また、被ガイド溝７は、戸幅方向に延びるように概ね全長に亘って設けられている。図例では、戸尻側端部の保持部８が設けられた部位から戸先側端面において開口させるように被ガイド溝７を設けた例を示している。なお、このような態様に代えて、被ガイド溝７を戸先側端面において開口させていない構成としてもよい。
また、被ガイド溝７は、戸厚方向略中心に位置するように設けられている。また、図例では、被ガイド溝７を、溝長手方向に見て、略方形溝状とした例を示している。
【００３６】
保持部８は、開放側から閉鎖側に向けて移動する引戸パネル１０の被ガイド溝７の戸尻側端部が直線ガイド位置のガイド部２９に至ればガイド部２９を保持する。また、保持部８は、引戸パネル１０が閉鎖位置から開放側に向けて斜め戸厚方向に移動される際に、ガイド部２９の保持が可能とされている。また、保持部８は、直線ガイド位置のガイド部２９に対して開放側に移動する引戸パネル１０の移動を伴ってガイド部２９の保持を解除する構成とされている。
本実施形態では、保持部８は、上下方向に軸方向を沿わせた略円柱状のガイド部２９を、同軸回りに回転自在に保持する構成とされている。また、保持部８は、ガイド部２９を受け入れる受入凹所９を区画するように戸厚方向に間隔を空けて設けられた一対の保持片部８ａ，８ａを備えている。
【００３７】
受入凹所９は、下方側及び戸先側に向けて開口するように設けられている。
一対の保持片部８ａ，８ａは、ガイド部２９を戸厚方向両側から挟むように保持する構成とされている。これら保持片部８ａ，８ａは、戸尻側から戸先側に向けて延びるように設けられ、延出方向途中部位から延出方向先端部に向かうに従い互いに近接するように設けられている。これら保持片部８ａ，８ａの先端部間の戸厚方向に沿う寸法は、ガイド部２９の外径よりも小とされている。また、これら保持片部８ａ，８ａの先端部には、これらに対して相対的に移動するガイド部２９を受入凹所９に受け入れ易くするために誘いとなる傾斜面や湾曲面が設けられている。
また、これら保持片部８ａ，８ａの戸厚方向外側（反受入凹所側）には、これら保持片部８ａ，８ａの戸厚方向外側への弾性変形を許容する空間が設けられている。ガイド部２９は、これら保持片部８ａ，８ａの弾性変形を伴って、受入凹所９内に受け入れられて保持され、また、受入凹所９から離間される構成とされている。
【００３８】
なお、被ガイド溝７の戸尻側端部に位置されたガイド部２９を接離自在に保持する保持部８としては、上記のような構成とされたものに限られない。例えば、保持部８としては、被ガイド溝７の溝幅方向両側から互いに向き合う方向に付勢され、溝幅方向に進退自在に設けられたボール状やピン状の進退部を有したプランジャ等でもよく、溝幅方向に弾性変形可能とされた板ばね状とされたものでもよい。また、保持部８としては、マグネットキャッチ状のものでもよい。この場合は、保持部８及びガイド部２９の一方に、他方に設けられた磁性体または磁石を吸着する磁石を設けた構成とすればよい。ガイド部２９を接離自在に保持する保持部８としては、その他、種々の構成とされたものの採用が可能である。
【００３９】
下レール２２は、本実施形態では、閉鎖位置の引戸パネル１０の戸尻側端部が近接される壁体３の下端部に埋込状にかつ床２上に位置するように配される構成とされている。このような構成とすれば、下レール２２を床２に埋込状に配される構成としたものと比べて、容易に設置することができ、また、下レール２２内への塵埃等の侵入や堆積を抑制することができる。
また、本実施形態では、この下レール２２を、壁厚方向に沿う寸法が壁体３の壁厚と同寸法とされたガイドユニット本体２１内に設けた構成としている。このような構成とすれば、ガイドユニット本体２１の壁厚方向両面を壁体３の壁厚方向両面と略同一平面状にすることができ、位置決め性や見栄えを向上させることができる。
【００４０】
ガイドユニット本体２１は、出入口６の開口幅方向で戸尻側の壁体３の下端部に埋込状に設けられる。図例では、ガイドユニット本体２１を、戸尻側縦枠５の下端部を開口幅方向に貫通させるように設けた例を示している。また、ガイドユニット本体２１の出入口６側の端部に、戸尻側縦枠５の傾斜面に応じた傾斜面を設けた例を示している。
本実施形態では、図６（ａ）に示すように、このガイドユニット本体２１に、別体とされた下レール２２を埋込状に設けた構成としている。ガイドユニット本体２１には、下レール２２を収容するレール収容凹所２１ａが設けられている。このレール収容凹所２１ａは、下レール２２に応じた形状とされている。また、ガイドユニット本体２１には、下レール２２に沿って移動する被ガイド部２５の床２側に設けられた後記する転動体保持部２７及びアーム状保持部２８の移動を許容するようにこれらを受け入れる受入凹所２１ｂが設けられている。この受入凹所２１ｂは、レール収容凹所２１ａに連通するように下方側に設けられ、かつ下方側及び引戸パネル１０側に向けて開口するように設けられている。
【００４１】
なお、ガイドユニット本体２１は、下レール２２の収容が可能なように、レール収容凹所２１ａが設けられた部位で下レール２２幅方向に分割されたものでもよく、また、上方側に向けて開口するレール収容凹所２１ａの上方側を覆う覆い部が設けられたものでもよい。また、ガイドユニット本体２１は、壁体３や床２、戸尻側縦枠５等に対して適宜、ねじ等の固着具や適宜の固定具を介して固定されるものでもよい。
また、ガイドユニット本体２１に、別体とされた下レール２２を埋込状に設けた構成に代えて、下レール２２を一体的に設けた構成としてもよい。換言すれば、下レール２２の外郭形状をガイドユニット本体２１のような形状としてもよい。
【００４２】
下レール２２は、図７及び図８に示すように、上記した上レール３０の戸先側ガイド部３６及び戸尻側ガイド部４０の斜行部３６ｂ，４０ｂ及びこれらの近傍部位と略平行状となるように形成されている。つまり、本実施形態では、下レール２２に、直線ガイド位置と引戸パネル１０の閉鎖位置との間において、被ガイド部２５を平面視して円弧状にガイドする湾曲ガイド部２２ｂを設けた構成としている。このような構成とすれば、突出状態と引退状態との間を斜め直進状にスライドされるスライダーのガイドピンにガイドされるものと比べて、引戸パネル１０の下端側を円滑にガイドすることができ、また、下レール１０の戸厚方向に沿う寸法のコンパクト化を図ることができる。
この下レール２２の湾曲ガイド部２２ｂは、戸幅方向に延びる直線部２２ａと斜め戸厚方向に延びる斜行部２２ｃとを接続するように設けられている。直線部２２ａのレール長手方向に沿う寸法は、被ガイド部２５を直線ガイド位置において保持可能であればよく、上レール３０の直線部３６ａ，４０ａの長さに対して短い寸法とされている。この直線部２２ａのレール長手方向に沿う寸法は、下レール２２のコンパクト化を図る観点等から適宜の寸法としてもよい。
【００４３】
また、この下レール２２には、図６（ｂ）に示すように、被ガイド部２５をガイドするガイド溝２３が下方側に向けて開口するように設けられている。この下レール２２には、ガイド溝２３の溝底側を区画する底壁部、ガイド溝２３の溝幅方向両側を区画する両側の側壁部及びこれら両側の側壁部の下端部から互いに向き合う方向に突出する案内片部が設けられている。
また、下レール２２には、図７及び図８に示すように、被ガイド部２５を直線ガイド位置において保持する保持部２４が設けられている。この保持部２４は、磁力による吸着によって被ガイド部２５を接離自在に保持する構成とされている。つまり、保持部２４及び被ガイド部２５の一方に磁石を設け、他方に一方の磁石に吸着される磁性体または磁石を設けた構成とされている。この保持部２４は、開放側から閉鎖側に移動する引戸パネル１０の被ガイド溝７の保持部８に、保持片部８ａ，８ａの弾性変形を伴ってガイド部２９を保持させ得るように、その保持力（吸着力）が設定されている。なお、この保持部２４としては、このような構成に限られず、上記したような弾性変形を伴い被ガイド部２５を保持し得るような構成とされたものでもよく、その他、種々の構成とされたものの採用が可能である。
【００４４】
被ガイド部２５は、下レール２２の両側の案内片部上をそれぞれに走行する転動体２６ａ，２６ａをランナー本体２６の溝幅方向両側に設けた構成とされている。これら転動体２６ａ，２６ａは、溝幅方向に沿う軸回りに回転自在とされ、互いに同軸状に設けられている。また、これら転動体２６ａ，２６ａは、互いに同寸同形状とされている。
また、被ガイド部２５に、上下方向に沿う軸回りに回転自在とされた被ガイドローラー２６ｂを設けている。また、下レール２２に、被ガイドローラー２６ｂを溝幅方向両側から挟むように、かつ被ガイドローラー２６ｂを湾曲ガイド部２２ｂに沿ってガイドするガイド側壁部２２ｄ，２２ｄを設けた構成としている。このような構成とすれば、被ガイド部２５を湾曲ガイド部２２ｂに沿わせて円滑にガイドすることができる。本実施形態では、被ガイドローラー２６ｂをランナー本体２６の下面側に設け、下レール２２のガイド側壁部２２ｄ，２２ｄを、下レール２２の両側の案内片部の互いに向き合う突出方向先端面としている。これらガイド側壁部２２ｄ，２２ｄ間の溝幅方向に沿う寸法は、被ガイドローラー２６ｂの外径に応じた寸法とされている。
【００４５】
被ガイドローラー２６ｂは、ランナー本体２６の戸厚方向で戸厚方向略中心部に位置するように設けられている。
また、本実施形態では、被ガイド部２５に、溝長手方向に間隔を空けて一対の被ガイドローラー２６ｂ，２６ｂを設けた構成としている。このような構成とすれば、被ガイド部２５を湾曲ガイド部２２ｂにおいてより円滑に方向転換させるようにしてガイドすることができる。これら被ガイドローラー２６ｂ，２６ｂは、両側の転動体２６ａ，２６ａの軸心から溝長手方向に沿う方向に等間隔を空けて設けられている。また、これら被ガイドローラー２６ｂ，２６ｂは、互いに同寸同形状とされている。なお、上記のような態様に代えて、被ガイドローラー２６ｂをランナー本体２６の上面側に設け、下レール２２の溝底側に、被ガイドローラー２６ｂをガイドする底側ガイド溝を設けた構成等としてもよい。また、このような被ガイドローラー２６ｂを設けていない構成としてもよい。この場合は、下レール２２の両側の案内片部に、転動体２６ａ，２６ａを受け入れる上記した上レール３０と同様な受入溝を設けたような構成としてもよい。
【００４６】
また、本実施形態では、図６（ｂ）に示すように、アーム状保持部２８の基端側に、床２側の走行対象上を走行自在とされた転動体２７ａを設けた構成としている。このような構成とすれば、アーム状保持部２８の基端側を下レール２２に沿って円滑に移動させることができる。
転動体２７ａは、被ガイド部２５の下方側に設けられた転動体保持部２７に回転自在に保持されている。上記したランナー本体２６に設けられた一対の転動体２６ａ，２６ａは、この転動体２７ａが床２側の走行対象上を走行可能とされた状態で、案内片部上を走行可能とされている。また、被ガイド部２５のランナー本体２６と転動体保持部２７とは、ランナー本体２６に設けられた一対の転動体２６ａ，２６ａの軸心の略直下に位置にするように設けられた支軸によって固定的に連結されている。図例では、転動体保持部２７を、この支軸と同軸状の略円柱状とした例を示している。
【００４７】
また、転動体２７ａは、本実施形態では、ボールキャスター状とされている。なお、このような態様に代えて、転動体２７ａをローラー状とされたものとしてもよい。
また、図例では、この転動体２７ａの床２側の走行対象を床２とした例を示しているが、例えば、ガイドユニット本体２１に、この転動体２７ａが走行する板状走行部を設けたような構成等としてもよい。
アーム状保持部２８は、転動体保持部２７から引戸パネル１０側に向けて延びるように設けられている。このアーム状保持部２８は、図７に示すように、直線ガイド位置において長手方向を戸厚方向に沿わせるように配される構成とされている。また、図８（ｂ）に示すように、引戸パネル１０が閉鎖位置において長手方向を斜行部２２ｃの溝長手方向に直交する方向に沿わせるように配される構成とされている。
【００４８】
ガイド部２９は、アーム状保持部２８の先端部から上方側に向けて突出するように設けられている。このガイド部２９は、図６（ｂ）に示すように、引戸パネル１０の被ガイド溝７内に突出方向先端部が挿し入れられる構成とされている。なお、ガイド部２９としては、略円柱状とされたものに限られず、例えば、上下方向に沿う軸回りに回転自在とされたローラー状とされたものでもよい。
なお、下レール２２のガイド溝２３の溝長手方向両端には、被ガイド部２５の溝長手方向外側への移動を規制する適宜のストッパーが設けられている。また、このガイド溝２３の溝長手方向両端に、被ガイド部２５との衝撃を緩和する適宜の緩衝部を設けた構成としてもよい。また、上記のような壁体３と同厚さとされたガイドユニット本体２１に下レール２２を設けた態様に代えて、壁体３の下端部に設けられた切欠状凹所に下レール２２を設置するような態様等としてもよい。
【００４９】
上記のような下端ガイド構造においては、引戸パネル１０の下端側が以下のようにガイドされる。
引戸パネル１０が全開位置では、図７（ａ）に示すように、直線ガイド位置において保持部２４によって保持された下端ガイド部材２０のガイド部２９が引戸パネル１０の被ガイド溝７の戸先側端部に挿入された状態とされる。この全開位置から閉鎖側に向けて引戸パネル１０を移動させれば、ガイド部２９によって引戸パネル１０の下端側が壁面３ａと平行状にガイドされる。つまり、引戸パネル１０の下端側の戸厚方向への振れが抑制される。更に閉鎖側に移動されて引戸パネル１０の被ガイド溝７の戸尻側端部が直線ガイド位置のガイド部２９に至れば、ガイド部２９が保持部８に保持され、閉鎖側に移動する引戸パネル１０とともに直線ガイド位置から斜め戸厚方向に移動する。下端ガイド部材２０の被ガイド部２５は、図８（ａ）に示すように、このガイド部２９の直線ガイド位置からの移動を伴い、保持部２４による保持が解除され、下レール２２のガイド溝２３に沿って移動する。つまり、被ガイド部２５が下レール２２の直線部２２ａ、湾曲ガイド部２２ｂ及び斜行部２２ｃに沿って移動する。
【００５０】
引戸パネル１０は、上記のように移動する被ガイド部２５によってアーム状保持部２８を介して移動が規制されたガイド部２９にガイドされ、戸尻側の下端側の振れが抑制されながら閉鎖側に移動する。つまり、下レール２２に沿って移動する被ガイド部２５とともに直線ガイド位置から円弧を描くように移動し、更に斜め戸厚方向に移動するガイド部２９によって引戸パネル１０の戸尻側の下端側がガイドされる。
そして、図８（ｂ）に示すように、被ガイド部２５が下レール２２の斜行部２２ｃの端部に至り、引戸パネル１０が閉鎖位置とされる。
上記とは逆に閉鎖位置から開放側に引戸パネル１０を移動させる際には、図８（ａ）に示すように、被ガイド溝７の保持部８にガイド部２９が保持された状態で、被ガイド部２５が下レール２２に沿って上記とは逆側に移動する。つまり、被ガイド部２５が下レール２２の斜行部２２ｃ、湾曲ガイド部２２ｂ及び直線部２２ａに沿って移動する。
【００５１】
このように下レール２２に沿って移動する被ガイド部２５とともに斜め戸厚方向に移動し、更に円弧を描くように移動するガイド部２９によって引戸パネル１０の戸尻側の下端側がガイドされる。
そして、図７（ｂ）に示すように、被ガイド部２５が直線ガイド位置となれば、つまり、保持部２４に保持される位置となれば、被ガイド部２５の移動が抑止され、これにより、ガイド部２９も直線ガイド位置において移動が抑止される。このようにガイド部２９が直線ガイド位置とされた状態で、引戸パネル１０を更に開放側へ移動させれば、被ガイド溝７の保持部８に対するガイド部２９の保持が解除される。また、このガイド部２９によって引戸パネル１０の下端側が壁面３ａと平行状にガイドされながら、図７（ａ）に示すように、全開位置となる。
【００５２】
なお、本実施形態では、戸先側被ガイド部材１１及び戸尻側被ガイド部材１５を、引戸パネル１０の上端面から上方側に向けて突出するように設けた構成とした例を示しているが、このような態様に限られない。例えば、戸先側被ガイド部材１１及び戸尻側被ガイド部材１５を、引戸パネル１０の戸厚方向一方側に付設状に設けた構成等としてもよい。
また、本実施形態では、上レール３０の前側側壁部３７を、壁側側壁部４１の直線部の全長に亘って反壁面側に位置するように設けた例を示しているが、このような態様に限られない。例えば、前側側壁部３７の直線部の戸尻側部位と壁側側壁部４１の直線部の戸先側部位とのみを溝幅方向に見て互いに重なり合うように設けた構成等としてもよい。
また、本実施形態では、上レール３０に片輪状の転動体１３，１７が走行する案内片部３８，４２を設けた例を示しているが、引戸パネル１０の上端側の被ガイド部材１１，１５及び上レール３０としては、その他、種々の変形が可能である。例えば、引戸パネル１０の上端側に、転動体１３，１７に代えてブロック状や片状、球状等の種々の構成とされた被ガイド部を設けた態様としてもよく、また、この被ガイド部に対応させて上レール３０に適宜のガイド溝等を設けた構成等としてもよい。
【００５３】
また、戸先側被ガイド部材１１をガイドする戸先側ガイド部３６を前側側壁部３７に設け、戸尻側被ガイド部材１５をガイドする戸尻側ガイド部４０を壁側側壁部４１に設けた例を示しているが、このような態様に限られない。例えば、戸尻側被ガイド部材１５の被ガイド部を戸先側被ガイド部材１１の被ガイド部よりも上方側に位置するように設けた構成としてもよい。この場合は、上レールに、戸先側被ガイド部材１１の被ガイド部をガイドする下段レール部と戸尻側被ガイド部材１５の被ガイド部をガイドする上段レール部とを積み重ねるように設けたような態様等としてもよい。また、このような態様に代えて、戸先側被ガイド部材１１の被ガイド部をガイドするレール部と戸尻側被ガイド部材１５の被ガイド部をガイドするレール部とを、戸厚方向に並列状に設けたり、戸幅方向に間隔を空けて設けたりしたような態様等としてもよい。
【００５４】
また、本実施形態では、下レール２２を、床２上に位置するように配される構成とした例を示しているが、床２に埋込状に配されるものとしてもよい。この場合は、下レール２２のガイド溝２３や、これにガイドされる被ガイド部２５やアーム状保持部２８、ガイド部２９等を適宜、必要に応じて変形するようにすればよい。また、本実施形態では、下端ガイド部材２０に、床２側の走行対象上を走行する転動体２７ａ及び下レール２２の案内片部上を走行する転動体２６ａ，２６ａを設けた例を示しているが、これらのうちの一方を設けていない構成としてもよい。更には、このような転動体２６ａ，２７ａに代えて、ブロック状や片状、球状等の種々の構成とされた被ガイド部を設けた態様としてもよく、また、この被ガイド部に対応させて下レール２２に適宜のガイド溝等を設けた構成等としてもよい。本実施形態に係る引戸装置１が備える各部材の具体的構成としては、上記した構成に限られず、その他、種々の変形が可能である。
【符号の説明】
【００５５】
１              引戸装置
７              被ガイド溝
８              保持部
１０            引戸パネル
１１            戸先側被ガイド部材（被ガイド部材）
１５            戸尻側被ガイド部材（被ガイド部材）
２０            下端ガイド部材
２１            ガイドユニット本体
２２            下レール
２２ｂ          湾曲ガイド部
２２ｄ          ガイド側壁部
２５            被ガイド部
２６ｂ          被ガイドローラー
２７ａ          転動体
２８            アーム状保持部
２９            ガイド部
３０            上レール
３６ａ，４０ａ  直線部
３６ｂ，４０ｂ  斜行部
２              床
３              壁体
３ａ            壁面
６              出入口
【図１】
2020133355.tif 000003
【図２】
2020133355.tif 000004
【図３】
2020133355.tif 000005
【図４】
2020133355.tif 000006
【図５】
2020133355.tif 000007
【図６】
2020133355.tif 000008
【図７】
2020133355.tif 000009
【図８】
2020133355.tif 000010